(57)【要約】【課題】より簡単確実に複数のケーブルを一括してケーブルラック上に延線できる一括延線治具を提供する。【解決手段】ケーブルラック内に載置可能な、先端が上に向けて湾曲したそり本体１を設け、当該そり本体１の上に、水平な貫通孔を有する係止体２ａをそり本体１の後方に向けて複数立設し、当該各係止体２ａにシャックル３を接続し、当該各シャックル３に複数のケーブル又はパイロットロープを連結する構成とし、前記そり本体１の先端部に、延線用先陣ロープを接続する牽引リンク２ｃを設けた。【選択図】      図１
2014180171.tif 000002
【特許請求の範囲】
【請求項１】
ケーブルラック内に載置可能な、先端が上に向けて湾曲したそり本体を設け、当該そり本体の上に、水平な貫通孔を有する係止体をそり本体の後方に向けて複数立設し、当該各係止体に撚り戻し治具を接続し、当該各撚り戻し治具に複数のケーブル又はパイロットロープを連結し、前記そり本体の先端部に、延線用先陣ロープの一端を接続する構成としたことを特徴とする、ケーブルラックへの複数ケーブルの一括延線治具。
【請求項２】
前記パイロットロープの後端に前記延線治具と同様の他の延線治具を接続したことを特徴とする、請求項１に記載のケーブルラックへの複数ケーブルの一括延線治具。
【請求項３】
前記延線治具の上面に３個以上の支柱を設け、当該支柱により同様な他の延線治具を重ねて支持し、上下に複数段から成ることを特徴とする、請求項1に記載のケーブルラックへの複数ケーブルの一括延線治具。
【請求項４】
前記延線治具の複数の係止体の前端部を繋ぐ枠体を設け、当該枠体によって複数の係止体を繋いだ当該枠体を複数段に重ね、最下段の係止体の後端が一番後方に位置し、上の段に行くにしたがって複数の係止体の後端が、下段の係止体の後端より前方に位置する構成とし、各係止体の後端部に前記撚り戻し治具を接続し、当該各撚り戻し治具に各ケーブル又はパイロットロープを接続する構成としたことを特徴とする、請求項１に記載のケーブルラックへの複数ケーブルの一括延線治具。
【請求項５】
前記そり本体は、相互に間隔を空けて平行に設けた２本のパイプ状部材の先端部を上方に湾曲させて、当該平行な２本のパイプ状部材の間に基板を渡し、当該基板の上に複数の前記係止体を設けたことを特徴とする、請求項１〜４のいずれかに記載のケーブルラックへの複数ケーブルの一括延線治具。
【請求項６】
前記そり本体の前記基板の両側が湾曲して上方に伸びた立ちあがり縁を有することを特徴とする、請求項５に記載のケーブルラックへの複数ケーブルの一括延線治具。
【請求項７】
ケーブルラックの一端から他端まで、まず、延線用先陣ロープを布設し、ケーブルラックの他端箇所において、当該延線用先陣ロープの他端を前記請求項1〜６の一括延線治具の先端部に接続し、また、前記一括延線治具の各係止体に前記撚り戻し治具を介して延線する複数のケーブル又はパイロットロープを接続し、前記ケーブルラックの一端箇所において、前記延線用先陣ロープの一端を引っ張り、前記一括延線治具及びこれに接続した複数のケーブル又はパイロットロープを前記ケーブルラックの一端箇所まで延線することを特徴とする、複数ケーブルの一括延線工法。
【発明の詳細な説明】
【技術分野】
【０００１】
この発明は、建物、地下道、洞道、暗渠等に設けられたケーブルラックへの複数のケーブル布設の際に使用する一括延線治具及びこれを用いたケーブル延線工法に関するものである。
【背景技術】
【０００２】
図１５に示すように、従来、ケーブルラック５０上にケーブル５１を延線する際、ケーブルコロ５２やパワーボール５３、延線ローラ（図示省略）等をケーブルラック５０上に設置して、まず、ガイドロープ（図示省略）を通し、当該ガイドロープの端部にケーブル５１の先端を接続して当該ケーブル５１を前記ケーブルコロ５２、パワーボール５３等に通して延線するのが一般的である。具体的には、まず、延線に当たってケーブルコロ５２やパワーボール５３等をケーブルラック５０に沿って一定間隔で配置、固定し、その上で、これらの部材にケーブル５１を通しながら延線し、これを複数回繰り返し、また、延線後はこれらの部材をケーブルラック５０上から撤去する。
【０００３】
通常、ケーブル１本を延線する際は、相当の作業時間が必要になる。２〜３本のケーブルを束ねて布設すると、ケーブル相互の交差・ねじれが生じる場合があり、整線作業や固縛にさらに時間を要する。また、作業上の問題点としては、ケーブルコロやパワーボールや延線ローラを複数台準備し、コロやローラ自体のラックへの固縛・撤去が必要となり、また、延線時には、ケーブルが脱線しないように要所で作業員を配置する必要があり、仮設工事、工事費、工期が必要になる場合が多い。特にケーブルラックが高所あるいは狭隘な場所にある場合は、作業が困難であることも多く、また、安全面での一段の配慮が必要となる。
【０００４】
この様な延線工法の欠点を除去するため、特許文献１に示すように、ケーブルラック上に自走機を走らせ、当該自走機にケーブルの先端を係止させ、ケーブルを延線する方法が開発された。
【先行技術文献】
【特許文献】
【０００５】
【特許文献１】特開２００１−２５１７１９号公報
【発明の開示】
【発明が解決しようとする課題】
【０００６】
しかしながら、特許文献１のものは、大掛かりであり、自走機を走らせるために電源を必要とするものであり、コストも嵩むものである。
【０００７】
この発明は、この従来技術を踏まえて、より簡単で確実に複数のケーブルを一括してケーブルラック上に延線できる治具及び延線工法を提供することを目的としたものである。
【課題を解決するための手段】
【０００８】
請求項１の発明は、ケーブルラック内に載置可能な、先端が上に向けて湾曲したそり本体を設け、当該そり本体の上に、水平な貫通孔を有する係止体をそり本体の後方に向けて複数立設し、当該各係止体に撚り戻し治具を接続し、当該各撚り戻し治具に複数のケーブル又はパイロットロープを連結し、前記そり本体の先端部に延線用先陣ロープの一端を接続する構成とした、ケーブルラックへの複数ケーブルの一括延線治具とした。
【０００９】
また、請求項２の発明は、前記パイロットロープの後端に前記延線治具と同様の他の延線治具を接続した、請求項１に記載のケーブルラックへの複数ケーブルの一括延線治具とした。
【００１０】
請求項３の発明は、前記延線治具の上面に３個以上の支柱を設け、当該支柱により同様な他の延線治具を重ねて支持し、上下に複数段から成る、請求項1に記載のケーブルラックへの複数ケーブルの一括延線治具とした。
【００１１】
請求項４の発明は、前記延線治具の複数の係止体の前端部を繋ぐ枠体を設け、当該枠体によって複数の係止体を繋いだ当該枠体を複数段に重ね、最下段の係止体の後端が一番後方に位置し、上の段に行くにしたがって複数の係止体の後端が、下段の係止体の後端より前方に位置する構成とし、各係止体の後端部に前記撚り戻し治具を接続し、当該各撚り戻し治具に各ケーブル又はパイロットロープを接続する構成とした、請求項1に記載のケーブルラックへの複数ケーブルの一括延線治具とした。
【００１２】
また、請求項５の発明は、前記そり本体は、相互に間隔を空けて平行に設けた２本のパイプ状部材の先端部を上方に湾曲させて、当該平行な２本のパイプ状部材の間に基板を渡し、当該基板の上に複数の前記係止体を設けた請求項１〜４のいずれかに記載のケーブルラックへの複数ケーブルの一括延線治具とした。
【００１３】
また、請求項６の発明は、前記そり本体の前記基板の両側が湾曲して上方に伸びた立ちあがり縁を有する、請求項５に記載のケーブルラックへの複数ケーブルの一括延線治具とした。
【００１４】
また、請求項７の発明は、ケーブルラックの一端から他端まで、延線用先陣ロープを布設し、ケーブルラックの他端箇所において、当該延線用先陣ロープの他端を前記請求項1〜６の一括延線治具の先端部に接続し、また、前記一括延線治具の各係止体に前記撚り戻し治具を介して延線する複数のケーブル又はパイロットロープを接続し、前記ケーブルラックの一端箇所において、前記延線用先陣ロープの一端を引っ張り、前記一括延線治具及びこれに接続した複数のケーブル又はパイロットロープを前記ケーブルラックの一端箇所まで延線する、複数ケーブルの一括延線工法とした。
【発明の効果】
【００１５】
請求項１〜７の発明によれば、そり型の一括延線治具がケーブルラックの多数の子桁上を滑って行くことにより、当該延線治具の上で先端部を接続された複数のケーブルを一括して、傷つけず、また、複数のケーブルの配列を乱さずに容易に延線することが出来る。従って、従来のように、延線に当たってケーブルコロやパワーボール等をケーブルラックに沿って一定間隔で配置、固定し、その上で、これらの部材にケーブルを通しながら延線し、これを複数回繰り返し、さらに、延線後はこれらの部材を撤去する等の手間が省ける。
【００１６】
また、特許文献1のような自走機を要せず、簡単な構造のそり型の一括延線治具を用意すればよく、コストが低減する。また、延線用先陣ロープを作業者が手で引っ張る場合は、電源を要しない作業となる。
【００１７】
また、請求項２〜４の発明では、一括延線治具又は係止体が複数設けられているため、多数のケーブルを一括で延線することが可能である。従って、ケーブルラックに布設する予定のケーブルの数に合わせて、治具を組み合わせることにより、一括延線し、これにより作業時間や手間が省ける。従って、一部のケーブルを先に延線し、その後、他のケーブルを延線する際に、既設のケーブルを傷つけない様に配慮したり措置する必要がない。
【００１８】
また、請求項６の発明では、ケーブルラック上に既設のケーブルが既に布設されている場合であっても、一括延線治具の両側面に基板の立ち上がり縁が設けられているため、当該立ちあがり縁が既存のケーブルに当たって横方に押しやり、既存のケーブルを傷つけるおそれがない。
【図面の簡単な説明】
【００１９】
【図１】この発明の実施の形態例１の一括延線治具の斜視図である。
【図２】この発明の実施の形態例１の一括延線治具の側面図である。
【図３】この発明の実施の形態例１の一括延線治具の撚り戻し治具の斜視図である。
【図４】この発明の実施の形態例１の一括延線治具を用いた延線作業状態を示す平面図である。
【図５】この発明の実施の形態例１の一括延線治具を用いた延線作業状態を示す側面断面図である。
【図６】（ａ）、（ｂ）、（ｃ）図は、この発明の実施の形態例１の一括延線治具を用いた延線作業の態様例を示す構成概略図である。
【図７】この発明の実施の形態例１の一括延線治具の変形例の斜視図である。
【図８】この発明の実施の形態例２の一括延線治具の側面図である。
【図９】この発明の実施の形態例２の一括延線治具の斜視図である。
【図１０】この発明の実施の形態例２の一括延線治具の他の態様の側面図である。
【図１１】この発明の実施の形態例２の一括延線治具のさらに他の態様の側面図である。
【図１２】この発明の実施の形態例３の一括延線治具の側面図である。
【図１３】この発明の実施の形態例３の一括延線治具の平面図である。
【図１４】この発明の実施の形態例４の一括延線治具の使用状態を示す正面図である。
【図１５】従来のケーブルラックへのケーブル延線方法を示す斜視図である。
【発明を実施するための形態】
【００２０】
（実施の形態例1）
図１〜３はこの発明の一括延線治具Ａの実施の形態例１を示すものであり、１本のパイプ形状部材の中央部をＵ字型に折り曲げて先端部１ａとし、その両端部を相互に略平行にさせて平行部１ｂとし、さらに、上記Ｕ字型の先端部１ａを平行部１ｂから前方斜め上方に湾曲させ、前記２本の平行部１ｂの上にアクリル板から成る基板１ｃを固定し、そり本体１としたものである。
【００２１】
このそり本体１の長さは、少なくともケーブルラックの隣接する子桁の間隔以上の長さを有する。
【００２２】
前記基板１ｃの前端部上には、平面視略Ｅ型の枠体２が固定され、当該枠体２の各枝部を係止板２ａとし、当該各係止板２ａの後端部に貫通孔２ｂが設けられている。当該各貫通孔２ｂには、撚り戻し治具としてのシャックル３の一端が接続されている。延線するケーブルは当該各シャックル３にその一端を接続されている。また、当該枠体２の前端には、延線用先陣ロープの一端を接続する牽引リング２ｃが設けられている。
【００２３】
また、前記撚り戻し治具はシャックルに限らず、スイベル等他の部材でもよい。また、前記枠体２はＥ型に限らず、枠体２から多数の係止板２ａが枝分かれして設けられている場合もある。その場合は、隣接する係止板２ａの後端部は、前後にずれていることが好ましい。
【００２４】
次に、この一括延線治具Ａを用いてケーブルラックの一端から他端まで延線する工法について説明する。まず、図４及び図５のケーブルラック５の一端から他端まで、延線用先陣ロープ６を適宜の方法で布設する。これには従来から行われている方法で、当該ケーブルラック５の一端から他端まで、ある程度剛性と強度を有するフレキシブルな棒状の布設具（図示省略）を送り込み、ケーブルラック５の他端箇所で当該布設具の先端に前記延線用先陣ロープ６の一端を係止して、前記布設具をケーブルラック５の一端まで引き戻し、延線用先陣ロープ６を布設する。
【００２５】
そして、前記ケーブルラック５の他端箇所において、当該延線用先陣ロープ６の他端を前記一括延線治具Ａの先端部の牽引リング２ｃに掛けて接続し、また、前記一括延線治具Ａの各シャックル３に延線する各ケーブル７をそれぞれ接続する。図４及び図５では、中央のシャックル３にパイロットロープ８の一端を接続し、当該パイロットロープ８の他端を、小型の一括延線治具Ａ´の牽引リング２ｃに接続する。また、この小型の一括延線治具Ａ´の各シャックル３には他の複数のケーブル7又はパイロットロープ８を接続して、一括延線治具Ａ´を連続的に接続してもよい。
【００２６】
この状態で、前記ケーブルラック５の一端箇所において、前記延線用先陣ロープ６の一端を作業者が手で引っ張り、前記一括延線治具Ａ及びこれに接続した複数のケーブル７又は一括延線治具Ａ´及びこれに接続されたケーブル７等を前記ケーブルラック５の一端箇所まで延線する。その際、ケーブルラック５の一端箇所には、ローラ９を設け、延線用先陣ロープ６の牽引摩擦を和らげている。また、延線用先陣ロープ６の牽引は、人力に限らず、ウインチ等で巻き上げて牽引してもよい。
【００２７】
この様にすることにより、そり本体１から成る一括延線治具Ａはケーブルラック５の多数の子桁５ａ上をスムーズに移動することができ、さらに、これに接続された複数のケーブル７を一括して延線することができる。
【００２８】
また、この延線の際、複数の一括延線治具Ａ及びＡ´を用いて多数のケーブルを一括延線できる。図６はこれらの一括延線治具Ａ及びＡ´の組み合わせ態様例を示す。（ａ）図は、上記図４及び図５のものと同じ態様であり、（ｂ）図は、一括延線治具Ａの中央ではなく、一側の係止板２ａに、シャックル３を介してパイロットロープ８の一端を接続し、当該パイロットロープ８の他端に一括延線治具Ａ´を接続し、当該一括延線治具Ａ´に３本のケーブル７の一端を接続したものである。
【００２９】
また、（ｃ）図は、一括延線治具Ａにシャックル３を介して３本のパイロットロープ８の一端を接続し、これらのパイロットロープ８の各他端に一括延線治具Ａ´をそれぞれ接続し、各一括延線治具Ａ´にそれぞれ３本のケーブル7を接続したものである。この様に種々の組み合わせにより、一度に多数本のケーブル7を延線することができる。
【００３０】
なお、当該実施の形態例１では、１本のパイプ形状部材の中央部をＵ字型に折り曲げて設けたが、これに限らず、図７に示すように２本のパイプ形状部材を用いて、各平行部１ｂのそれぞれの先端部１ａを前方斜め上方に折り曲げた構成でも良い。
【００３１】
（実施の形態例２）
また、この発明の実施の形態例２の一括延線治具Ｂは、図８及び図９に示すものである。前記一括延線治具Ａを３個用意し、各一括延線治具Ａを上下３段に重ね、これらの各間に４個の支柱１０を設け、各一括延線治具Ａを上下に間隔を空けて積み上げたものである。
【００３２】
この場合、各一括延線治具Ａの各シャックル３にそれぞれケーブル７を接続することにより多数のケーブル7を一括して延線することができる。また、この場合、３段の一括延線治具Ｂとしたがこれに限らず、２段、４段にしてもよい。さらに、図１０に示すように、下段から上段の一括延線治具Ａを前方にずらしも良い。さらにまた、図１１に示すように下段から上段にかけて長さの短い一括延線治具Ａを順に積み重ねてもよい。また、当該各一括延線治具Ａの長さを伸縮調整自在な構成としても良い。この様にすることにより、各段のシャックル３が前後にずれて位置し、ケーブル７等の接続が容易となる。
【００３３】
（実施の形態例３）
また、この発明の実施の形態例３の一括延線治具Ｃは、図１２及び図１３に示すものである。この一括延線治具Ｃは、前記一括延線治具Ａの長さを延長し、前記枠体２を上下３段に積み重ねたものである。そして、さらに、各段の枠体２の枝部の係止板２ａの後端を図１３に示すように、平面視で前後にずらして設けている。また、当該枠体２の前端下部に、牽引リング２ｃを設けている。なお、２段以上の上段の枠体２の係止板２ａは下段の枠体２に支持され、基板１ｃから浮いた状態である。
【００３４】
この様に、隣接する各係止板２ａの後端を前後方向にずらすことにより、シャックル３を介した多数のケーブル７の接続作業が極めて容易となる。しかも、当該一括延線治具Ｃにより多数のケーブル７を一括延線でき、延線作業が容易迅速にできる。
【００３５】
（実施の形態例４）
図１４はこの発明の実施の形態例４の一括延線治具Ｄを示すもので、前記基板１ｃの両側を湾曲させて、外側、斜め上方に伸びた立ち上がり縁１ｄを基板１ｃと一体に設けたものである。これにより、図１４に示すように、ケーブルラック５内に既設のケーブル１１が設けられている場合であっても、既設のケーブル１１を横方に押し出しながら新規なケーブル７を複数延線することができる。従って、既設のケーブル１１の上に新たなケーブル７が載るおそれがない。また、新たなケーブル７の延線に際し、既設のケーブル１１を傷つけるおそれがない。
【符号の説明】
【００３６】
Ａ    一括延線治具              Ｂ      一括延線治具
Ｃ    一括延線治具              Ｄ      一括延線治具
１      そり本体                １ａ    先端部
１ｂ    平行部                  １ｃ    基板
２      枠体                    ２ａ    係止板
２ｂ    貫通孔                  ２ｃ    牽引リング    
３      シャックル              ５      ケーブルラック
５ａ    子桁                    ６      延線用先陣ロープ
７      ケーブル                ８      パイロットロープ
９      ローラ                  １０    支柱    
１１    既設のケーブル                                                                    
【図１】
2014180171.tif 000003
【図２】
2014180171.tif 000004
【図３】
2014180171.tif 000005
【図４】
2014180171.tif 000006
【図５】
2014180171.tif 000007
【図６】
2014180171.tif 000008
【図７】
2014180171.tif 000009
【図８】
2014180171.tif 000010
【図９】
2014180171.tif 000011
【図１０】
2014180171.tif 000012
【図１１】
2014180171.tif 000013
【図１２】
2014180171.tif 000014
【図１３】
2014180171.tif 000015
【図１４】
2014180171.tif 000016
【図１５】
2014180171.tif 000017